(57)【要約】      （修正有）【課題】嵌め込みフックを、固定基部との連結状態に安定して維持できる一方、固定基部に連結したり固定基部から分離したりすることを簡単にでき、従来のリリースバックルの使用中では生ずる可能性があった損傷を免れる、リリースバックルを提供する。【解決手段】嵌め込みフック用案内連結溝を有する正面の両側部に突出部を形成した固定基部と、固定基部の下部に挿入されて固定基部内に全体が位置付けられる嵌め込みフックとを有し、従来のリリースバックルでは、嵌め込みフックを固定基部から外すのに予め行っていた、指を用いての嵌め込みフックの保持状態を解放するための解放作業が不要になり嵌め込みフックと固定基部間の連結状態が、より安定的に維持されるようになり、連結状態にあるリリースバックル全体の面積が、小さくなり、コンパクトとなる。【選択図】  図１
2007301367.tif 000002
【特許請求の範囲】
【請求項１】
正面の両側部に、突出部を形成した固定基部であって、突出部は、下部に入口を備える嵌め込みフック用案内連結溝を有する固定基部と、
バンドを接続するための、少なくとも１個以上のバンド接続穴を形成され、固定基部の下部に挿入されて固定基部内に全体が位置付けられ、両側縁が固定基部の突出部の案内連結溝に着脱自在に連結される、嵌め込みフックとを有する、リリースバックル。
【請求項２】
前記嵌め込みフックは、正面上端に取っ手型突起を備え、前記嵌め込みフックが、取っ手型突起を持つことにより移動可能である、請求項１に記載のリリースバックル。
【請求項３】
前記嵌め込みフックには、バンドの接続寸法を自由に調節するための２個のバンド接続穴を形成される、請求項１又は２に記載のリリースバックル。
【請求項４】
前記固定基部は、外周に結合フランジを備え、当該結合フランジは、前記固定基部を物品の表面に縫い付けにより取り付けるために、縫い付け溝が形成される、請求項１乃至３のいずれか１に記載のリリースバックル。
【請求項５】
前記固定基部には、取り付け相手となる物品の表面に縫い付けた接続バンドを挿入取り付けできるように、バンド接続穴を形成される、請求項１乃至３のいずれか１に記載のリリースバックル。
【請求項６】
前記固定基部には、その上部中央に方形の開口が形成され、この開口には、保持突起が形成されて、前記嵌め込みフックを前記固定基部に連結すると、前記固定基部に接続されるバンドが、この保持突起を越えて、この保持突起により捕らえられ保持されて、前記嵌め込みフックと前記固定基部間の連結状態を安定的に維持する、請求項１乃至５のいずれか１に記載のリリースバックル。
【請求項７】
前記固定基部には、縦方向バンドを接続するバンド接続穴を両側縁に形成し、横方向バンドを接続する、別のバンド接続穴を中央に形成する、請求項１又は２に記載のリリースバックル。
【請求項８】
前記固定基部には、正面下部の中央に保持突起を形成し、前記嵌め込みフックには、背面下部の中央に当該保持突起に対応する保持溝を形成して、前記固定基部に前記嵌め込みフックを連結すると、前記固定基部の保持突起が、前記嵌め込みフックの保持溝に入り込んで、前記嵌め込みフックと前記固定基部間の連結状態を安定的に維持する、請求項７に記載のリリースバックル。
【発明の詳細な説明】
【技術分野】
【０００１】
本発明は、バッグ、袋、衣服、又は物品を運ぶ物に使用されるバンドを連結したり外したりする、リリースバックルに関し、より詳しくは、嵌め込みフックを、固定基部に連結したり固定基部から分離したりすることが簡単にでき、コンパクトですっきりした印象をもたらす、リリースバックルに関する。
【背景技術】
【０００２】
一般に、こうしたリリースバックルは、物品の表面に固定された固定基部と、固定基部と着脱自在に連結される嵌め込みフックとを備える。
【０００３】
従来、リリースバックルには、固定基部の嵌め込みフック連結部に嵌め込みフックを挿入し連結する収容部が設けられ、収容部には、その両側に保持穴が形成されている。
【０００４】
嵌め込みフックは、固定基部とサイドリリース（ＳＲ）型連結を行うためには、弾性保持突起が形成された連結部を両側に備えている。嵌め込みフックは、固定基部と正面リリース（ＦＲ）型連結を行うためには、弾性保持突起を備えた連結部を上端に備えており、弾性保持突起が、固定基部の挿入部の上端に補完形状に形成した保持穴に挿入される。
【０００５】
しかしながら、上述した従来のリリースバックルは、弾性保持突起の保持状態を固定基部の保持穴から解放するには、固定基部を一方の手で押さえながら、他方の手の指で、弾性保持突起を押し込む必要があるので、嵌め込みフックを固定基部から取り外すのが複雑となるという欠点を有している。
【０００６】
さらに、使用者は、両手を必ず用いる必要があり、特に冬季には、極めて不便である。というのは、冬季には、使用者は、厚手の手袋をはめており、使用者が、こうした手袋をはめたまま、固定基部と嵌め込みフックを手に持ち分離することは、困難である。
【０００７】
さらに、従来のリリースバックルでは、嵌め込みフックの部分だけが、固定基部に挿入され連結されるため、嵌め込みフックと固定基部間が連結状態にあるときには、リリースバックル全体のサイズが、大きくなり、すっきりしたコンパクトな印象を損なっている。
【０００８】
さらに、弾性保持突起は、使用中損傷を受け易く、リリースバックルの耐久性を低めている。
【０００９】
嵌め込みフックの挿入部は、固定基部の上端を通って押し下げられることにより、固定基部に挿入されて連結され、引っ張り上げられることにより、固定基部から分離される。このため、弾性保持突起の連結状態が不良な場合に、嵌め込みフックに、嵌め込みフックを引き上げる方向に引っ張り力が不意に掛かると、嵌め込みフックが、固定基部から容易に外れて、固定基部と嵌め込みフックとが、安定した連結状態をもはや保ち得なくなる。
【発明の開示】
【発明が解決しようとする課題】
【００１０】
したがって、本発明は、従来技術の上述した欠点及びその他の欠点を解決するために提供される。
【００１１】
本発明では、嵌め込みフックを、固定基部との連結状態に安定して維持できる一方、固定基部に連結したり固定基部から分離したりすることを簡単にでき、従来のリリースバックルの使用中では生ずる可能性があった損傷を免れる、リリースバックルを提供することに目的がある。
【００１２】
本発明では、嵌め込みフックが、固定基部にすっかり挿入されて、嵌め込みフックと固定基部間の連結状態が改善されて、すっきりしたコンパクトな印象をもたらす、リリースバックルを提供することが、もう一つの目的である。
【課題を解決するための手段】
【００１３】
こうした目的を達成するため、本発明によれば、嵌め込みフック用案内連結溝を有する正面の両側部に突出部を形成した固定基部と、固定基部の下部又は側部に挿入されて固定基部内に全体が位置付けられる嵌め込みフックとを有するリリースバックルが提供される。
【００１４】
このため、嵌め込みフックは、簡単に、固定基部に挿入したり固定基部から分離したりでき、挿入すると、固定基部に今までよりも安定した状態で保持される。
【００１５】
さらに、本発明によるリリースバックルは、使用中生ずる損傷から免れる。
【発明を実施するための最良の形態】
【００１６】
本発明の目的、特徴及び特有の効果は、添付図面を参照しながらの、以下の詳細な説明からさらに明らかになる。
【００１７】
本発明によれば、リリースバックルは、正面両側に突出部１１を有する固定基部１０を備え、突出部１１は、下部に入口を形成した、嵌め込みフック用案内連結溝１２を備える。さらに、リリースバックルは、バンドＷと接続する少なくとも１個以上のバンド接続穴２１を形成された、嵌め込みフック２０も備える。嵌め込みフック２０は、固定基部の下部に挿入されて固定基部１０に全体が位置付けられるとともに、両側縁が、固定基部の突出部１１の案内連結溝１２に着脱自在に連結される。
【００１８】
添付図面に示す、本発明の好ましい実施形態を参照すると、嵌め込みフック２０には、正面上端に、取っ手型突起２２が突出形成されて、取っ手型突起２２を掴むことにより、嵌め込みフック２０を容易に移動できるようになっている。さらに、嵌め込みフック２０には、２個のバンド接続穴２１が形成されて、バンドＷの接続寸法を自由に調節できるようになっている。
【００１９】
図１乃至図４に示す、本発明の好ましい第１実施形態によれば、固定基部１０には、その外周に結合フランジ１３が形成され、結合フランジ１３には、袋又はバッグ等の物品Ｐの表面に固定基部１０を縫い付けにより取り付けるための縫い付け溝１４を形成する。
【００２０】
図５乃至図８に示す、本発明の好ましい第２実施形態によれば、固定基部１０には、その下部中央にバンド接続穴１５を形成するとともに、バンド接続穴１５に接続されるバンドＷ´を、物品Ｐの表面に縫い付けにより取り付ける。
【００２１】
上述した、本発明の好ましい第１及び第２実施形態では、固定基部１０には、その上部中央に方形の開口１６が形成され、開口１６の正面下部には、保持突起１７が形成されて、嵌め込みフック２０に接続されたバンドＷが、保持突起１７を越えると、保持突起１７により捕らえられ保持されるようになっている。このため、嵌め込みフック２０の連結状態が、安定的に維持されるようになっている。
【００２２】
図９乃至図１１に示す、本発明の好ましい第３実施形態によれば、固定基部１０が、一対の肩ストラップＭの正面にそれぞれ取り付けた縦方向バンドＷ´に、それぞれ取り付けられ、嵌め込みフック２０は、横方向バンドＷの一端に取り付けられ、横方向バンドの他端は、縦方向バンドのそれぞれに取り付けた固定基部１０の一方に固定される。
【００２３】
本発明の好ましい第３実施形態では、他方の固定基部１０には、縦方向バンドＷ´を接続するバンド接続穴１８を両側縁に形成し、横方向バンドＷを接続する、別のバンド接続穴１９を中央に形成する。
【００２４】
さらに、本発明の好ましい第３実施形態では、この他方の固定基部１０には、正面下部の中央に保持突起１７ａを形成し、嵌め込みフック２０には、背面下部の中央に、対応する保持溝２３を形成して、この他方の固定基部１０に嵌め込みフック２０を連結すると、この他方の固定基部１０の保持突起１７ａが、嵌め込みフック２０の保持溝２３に入り込むようになっている。このため、嵌め込みフック２０は、この他方固定基部１０と連結されたまま、安定的に保持される。
【００２５】
上述した本発明では、第１及び第２実施形態において説明したように、嵌め込みフック２０を固定基部１０に縦方向に接続するには、固定基部１０の両突出部１１に形成した嵌め込みフック用案内連結溝の入口のそれぞれが、嵌め込みフック２０を固定基部１０の下部から引っ張り上げるように、両突出部の下部に位置付ける。
【００２６】
嵌め込みフック２０を固定基部１０から外すには、嵌め込みフック２０を、固定基部１０の下部の方に引き下ろす。
【００２７】
さらに、第３実施形態において説明したように、嵌め込みフック２０を他方の固定基部１０に横方向に接続するには、嵌め込みフック２０を、この他方の固定基部１０の外側から内側に押し込む。
【００２８】
言い換えると、嵌め込みフック２０を他方の固定基部１０に連結するには、嵌め込みフック２０を、この他方の固定基部の下部又は側部に一方の手により位置付け、この他方の固定基部を他方の手で保持しながら、嵌め込みフックを一方の手で他方の固定基部１０の方に押す。この他方の固定基部１０から嵌め込みフック２０を外すには、嵌め込みフック２０を、一方の手で押さえながら、他方の手で嵌め込みフックを、この他方の固定基部１０の外側に方へ押す。
【００２９】
上述した本発明によれば、ＳＲ又はＦＲ型連結タイプの従来のリリースバックルにおいて行っていたように、嵌め込みフックを固定基部から外すのに、予め指を用いて、嵌め込みフックと固定基部間の保持状態を解放する必要がない。このため、指を用いた解放作業を行うことなく、簡便に嵌め込みフック２０を固定基部１０から取り外すことができる。特に、冬季に厚手の手袋をはめたまま、嵌め込みフック２０を固定基部１０に連結したり取り外したりできるようになる。
【００３０】
さらに、本発明によれば、嵌め込みフック２０は、嵌め込みフック２０が固定基部１０に連結された状態で、嵌め込みフック２０を接続されたバンドＷにより、嵌め込みフック２０を上方又は側方に引っ張る方向に押し付けられるので、嵌め込みフック２０は、固定基部１０によりきつく連結されるため、嵌め込みフック２０と固定基部１０との間の連結状態が、より安定的に維持されるようになる。
【００３１】
さらに、固定基部１０と連結された嵌め込みフック２０は、全体が、固定基部１０内に位置付けられるので、連結状態にあるリリースバックル全体の面積が、小さくなり、コンパクトですっきりした印象をもたらす。
【００３２】
上述した本発明によれば、固定基部に、嵌め込みフック用案内連結溝が形成された正面の両側に、突出部を形成し、嵌め込みフック２０を、固定基部１０の下部から固定基部内に挿入して、全体を固定基部１０内に位置付ける。
【００３３】
本発明では、従来のリリースバックルでは、嵌め込みフックを固定基部１０から外すのに予め行っていた、指を用いての嵌め込みフック２０の保持状態を解放するための解放作業が、すっかり不要になる。
【００３４】
したがって、嵌め込みフック２０を、より簡便に取り外すことができる。特に、冬季に厚手の手袋をはめた手を用いても、嵌め込みフック２０を、より簡単に固定基部１０に連結したり取り外したりできる。さらに、嵌め込みフック２０の連結状態を、より安定的に維持することができ、連結状態でのリリースバックル全体の面積が、小さくなるので、コンパクトですっきりした印象を与えることができる。
【００３５】
上述の説明は、好ましい実施形態を参照しながら行ったが、本発明の変更及び修正は、本発明の要旨及び請求の範囲の記載から逸脱することなく、当業者によりなし得ることは明らかである。
【図面の簡単な説明】
【００３６】
【図１】本発明の好ましい第１実施形態によるリリースバックルの斜視図であって、リリースバックルが、解放状態にあるものである。
【図２】本発明の好ましい第１実施形態によるリリースバックルの連結状態を示す正面図である。
【図３】本発明の好ましい第１実施形態によるリリースバックルの連結状態を示す底面図である。
【図４】本発明の好ましい第１実施形態によるリリースバックルの連結状態を示す縦断面図である。
【図５】本発明の好ましい第２実施形態によるリリースバックルの斜視図であって、リリースバックルが、解放状態にあるものである。
【図６】本発明の好ましい第２実施形態によるリリースバックルの連結状態を示す正面図である。
【図７】本発明の好ましい第２実施形態によるリリースバックルの連結状態を示す底面図である。
【図８】本発明の好ましい第２実施形態によるリリースバックルの連結状態を示す縦断面図である。
【図９】本発明の好ましい第３実施形態によるリリースバックルの斜視図であって、リリースバックルが、解放状態にあるものである。
【図１０】本発明の好ましい第３実施形態によるリリースバックルの連結状態を示す右側面図である。
【図１１】本発明の好ましい第３実施形態によるリリースバックルの連結状態を示す横断断面図である。
【図１】
2007301367.tif 000003
【図２】
2007301367.tif 000004
【図３】
2007301367.tif 000005
【図４】
2007301367.tif 000006
【図５】
2007301367.tif 000007
【図６】
2007301367.tif 000008
【図７】
2007301367.tif 000009
【図８】
2007301367.tif 000010
【図９】
2007301367.tif 000011
【図１０】
2007301367.tif 000012
【図１１】
2007301367.tif 000013